(57)【要約】【課題】新しい壁紙を貼る際に電気設備端末器具ユニット位置で切断箇所を明確にするとともに、特にコンセントユニットにおいては併せて糊の付着を防止することが可能な壁紙貼り替え用ガイド体を提供すること。【解決手段】コンセントユニットが取り付けられた壁面における壁紙Ｐの貼り替え時においてはカバープレート及びカバーベースを一旦外し、露出された取り付けベース１４前面に壁紙貼り替え用ガイド体１を配置する。ガイド体１はカバープレートの外郭よりも小さな外郭に構成された本体２を備え、本体２裏面にはコンセントヘッド１３ａが収容される凹部３が形成されている。ガイド体１は磁石６によって仮留めされる。この状態で壁紙Ｐを貼着し、ガイド体１に沿って壁紙Ｐを切断する。そしてガイド体１を外し再度カバープレート及びカバーベースを取り付ける。【選択図】      図４
0003127972.tif 000002
【実用新案登録請求の範囲】
【請求項１】
少なくとも壁面、床、天井（以下、壁面等とする）に形成された埋め込みスペース周縁に固定された取り付けベースと、同壁面等の内部の配線と接続された同取り付けベースに組み付けられたコンセントあるいはスイッチのような電気設備用端末器具と、同取り付けベースを前記壁面等側から覆うカバープレートとから構成される埋め込み型の電気設備端末器具ユニットに使用される壁紙貼り替え用ガイド体であって、
前記取り付けベースの前面に配置される、少なくとも前記カバープレートの外郭よりも小さな外郭に構成された本体と、
前記本体に形成され、前記電気設備端末器具の前方側への突出部分を収容する収容部と、
同本体を前記取り付けベースに仮留めさせる係止部材とを備えたことを特徴とする壁紙貼り替え用ガイド体。
【請求項２】
前記収容部の内周上面は前記電気設備端末器具の突出部分を案内面として進出させられ、同進出位置で前記係止部材を前記取り付けベースに仮留めされることを特徴とする請求項１に記載の壁紙貼り替え用ガイド体。
【請求項３】
前記収容部の内周形状は前記電気設備端末器具の外郭と略相似形状とされ、同電気設備端末器具を収容した状態で同電気設備端末器具の外郭との間に若干の隙間が形成されることを特徴とする請求項１又は２に記載の壁紙貼り替え用ガイド体。
【請求項４】
前記収容部は前記電気設備端末器具の前方側への突出部分が同本体前面よりも更に前方側に突出しないように収容することを特徴とする請求項１〜３のいずれかに記載の壁紙貼り替え用ガイド体。
【請求項５】
前記収容部は前記本体の裏面側に開口した有底凹部であることを特徴とする請求項４に記載の壁紙貼り替え用ガイド体。
【請求項６】
前記本体の外郭は方形に形成されていることを特徴とする請求項１〜５のいずれかに記載の壁紙貼り替え用ガイド体。
【請求項７】
係止部材は磁石であって、強磁性体である前記取り付けベースに対して磁力によって前記本体を着脱可能に固定させることを特徴とする請求項１〜６のいずれかに記載の壁紙貼り替え用ガイド体。
【請求項８】
係止部材は弾性係合部材であって、前記取り付けベースに形成された被係合部に対して同弾性係合部材を係合させることで前記本体を着脱可能に固定させることを特徴とする請求項１〜６のいずれかに記載の壁紙貼り替え用ガイド体。
【考案の詳細な説明】
【技術分野】
【０００１】
本考案は、壁紙を貼り替える際に電気設備端末器具ユニット位置で新しい壁紙の切断処理をするために使用される壁紙貼り替え用ガイド体に関するものである。
【背景技術】
【０００２】
壁面、床、天井（以下、壁面等とする）には任意の位置に電気設備端末器具ユニットが配設されている。一般的に電気設備端末器具ユニットは壁面等に形成された埋め込みスペースに対してコンセントあるいはスイッチのような電気設備端末器具が組み付けられた取り付けベースを固着し、この取り付けベースに対してカバープレートを覆うように取り付けられている。カバープレートによって取り付けベースは隠され、その電気設備端末器具ユニットが例えばコンセントユニットであればコンセントの前面がカバープレートの一部から露出され、スイッチユニットであればスイッチのオン・オフを操作する操作部分がやはりカバープレートの一部から露出されることとなる。
このような電気設備端末器具ユニットの一例について特許文献１に示す。
【０００３】
ところで、室内においてはしばしばリフォーム等で壁紙を貼り替える場合がある。その場合には古い壁紙を取り除くとともに、電気設備端末器具ユニット部分を露出させるために新しい壁紙を同ユニットの形状に応じて一部切り取る必要がある。その場合には従来では例えば以下のような処理を行っていた。
図９に示すように、古い壁紙を取り除いた壁面にコンパネ１００のような壁ベース面が露出されている。コンパネ１００の埋め込みスペース１０１には電気設備端末器具ユニット（コンセントユニット）の一部を成す取り付けベース１０２が固着されている。ユニットは取り付けベース１０２の前面からカバープレートやカバーベースが取り外され取り付けベース１０２だけが残ってコンセント１０３がコンパネ１００前面から前方側に突出した状態である。このような状態において裏面が糊面とされた新しい壁紙Ｐを壁面に貼着すると図１０に示すようにコンセント１０３上にも壁紙Ｐが貼着されることとなる（図１０の状態）。
次いで、同図に示すようにカッター１０５のような切断器具によってコンセント１０３と取り付けベース１０２の段差間の中空部分をコンセント１０３外周に略沿って切り取ってその後、取り付けベース１０３に対して再度カバーベースを取り付け、最後にカバープレートを装着して処理は完了する。
【特許文献１】特開平１０−２８５７４１号公報
【考案の開示】
【考案が解決しようとする課題】
【０００４】
しかしながら、上記のような処理の仕方では、次のような課題が生じる。
１）コンセント１０３の前面に壁紙Ｐの糊が付着してしまうため、そのままでは糊に汚れがついてしまい汚くなってしまう。これを防止するためには、上記処理後に糊を綺麗に拭き取らなければならず、非常に手間がかかることとなっていた。
２）壁紙Ｐの裏側が見えないことからどこを切断したらよいかのいわゆる「当たり」がつけにくく、切断部分がカバープレートからはみ出してしまうことを避けるためにどうしてもコンセント１０３寄りで切断する傾向となってしまう。すると、壁紙Ｐが余ってしまいカバープレート取り付けの障害となってしまうことから、一度の切断ではなく、カバープレートがきちんと納まるまで何度も壁紙Ｐを切りそろえなければならないといった作業上の不具合が生じるおそれがある。
３）コンセント１０３と取り付けベース１０２の段差間の中空部分をコンセント１０３外周に略沿って手作業で切り取る作業は切断線がなかなかきれいに出ないため、切り跡が一様ではなくなり、その結果仕事が雑な印象をこの部分を見た人に与えることとなり好ましくなかった。
４）コンセントあるいはスイッチのような電気設備端末器具を傷つけないように細心の注意をもって作業しなければならないので、作業者に緊張を強いることとなっていた。
本考案は、このような従来の技術に存在する問題点に着目してなされたものである。その主目的とするところは、新しい壁紙を貼る際に電気設備端末器具ユニット位置で切断箇所を明確にするとともに、特にコンセントユニットにおいては併せて糊の付着を防止することが可能な壁紙貼り替え用ガイド体を提供することにある。
【課題を解決するための手段】
【０００５】
上記の目的を達成するための第１の手段として、少なくとも壁面、床、天井（以下、壁面等とする）に形成された埋め込みスペース周縁に固定された取り付けベースと、同壁面等の内部の配線と接続された同取り付けベースに組み付けられたコンセントあるいはスイッチのような電気設備用端末器具と、同取り付けベースを前記壁面等側から覆うカバープレートとから構成される埋め込み型の電気設備端末器具ユニットに使用される壁紙貼り替え用ガイド体であって、
前記取り付けベースの前面に配置される、少なくとも前記カバープレートの外郭よりも小さな外郭に構成された本体と、前記本体に形成され、前記電気設備端末器具の前方側への突出部分を収容する収容部と、同本体を前記取り付けベースに仮留めさせる係止部材とを備えたことをその要旨とする。
このような構成の壁紙貼り替え用ガイド体を使用した壁紙の貼り替え作業は次のように行われる。
まず電気設備端末器具ユニットのカバープレートを取り外し、露出された取り付けベース前面に壁紙貼り替え用ガイド体を配置する。この際にコンセントやスイッチ等の電気設備端末器具が前方に突出しているがその突出部分は干渉しないように本体の収容部に納まる。一方、本体は取り付けベース前面に保持されるように係止部材によって取り付けベースに仮留めされることとなる。これによって取り付けベースには前方側に突出した壁紙貼り替え用ガイド体が配置されることとなる。この状態で新しい壁紙を壁紙貼り替え用ガイド体も一緒に包み込みながら壁面等に貼着する。
そして、このガイド体の本体に沿って壁紙を切断すれば切断部分がカバープレートからはみ出ることはなく、また壁紙を電気設備端末器具よりも外側の位置で切断できるのでちょうどよい切断位置がキープされる。また、コンセントあるいはスイッチのような電気設備用端末器具がガイド体（本体）によって包囲されるため、壁紙切断の際にこれら電気設備用端末器具を傷つけるおそれが非常に少なくなる。
切断処理が完了後は切断位置に露出されることとなるガイド体の係止部材による仮留めを解除して取り付けベースから取り外した後、切断部位を隠しながらカバープレートを取り付けて作業は完了する。ここに「仮留め」とはネジ等で固定せずわずかな操作で簡単に外れる程度に保持させることを意味するものである。
【０００６】
第２の手段では第１の手段に加え、前記収容部の内周上面は前記電気設備端末器具の突出部分を案内面として進出させられ、同進出位置で前記係止部材を前記取り付けベースに仮留めされることをその要旨とする。
第３の手段では第１又は第２の手段に加え、前記収容部の内周形状は前記電気設備端末器具の外郭と略相似形状とされ、同電気設備端末器具を収容した状態で同電気設備端末器具の外郭との間に若干の隙間が形成されることをその要旨とする。
これらの手段ではつまり本体を取り付けベース前面に配置した段階で例え係止部材が未だ効いていなくとも概ね予定される配置位置に本体を保持させることが可能となり、なおかつ本体を電気設備端末器具の外郭に沿ってスライド移動させることで係止部材の作用位置に案内させることが可能となる。
ここに、「若干の隙間」とは電気設備端末器具と収容部の内周面周囲との間に０．５ミリから数ミリ程度の収容させる際になんら抵抗なく収容できる程度の隙間をいう。あまり狭すぎると収容しにくくなり、あまり隙間が大きいと係止部材を作用させる際に位置調節が必要となって案内としても役に立たなくなるからである。
【０００７】
第４の手段では第１〜第３のいずれかの手段に加え、前記収容部は前記電気設備端末器具の前方側への突出部分が同本体前面よりも更に前方側に突出しないように収容するようにしたことをその要旨とする。
これによってコンセントあるいはスイッチのような電気設備用端末器具がガイド体（本体）によって包囲されるとともに壁紙に接触することがなくなるため、壁紙切断の際にこれら電気設備用端末器具を傷つけるおそれが更に少なくなるとともに、糊が器具前面に付着してしまうことがない。
第５の手段では第４の手段に加え、前記収容部は前記本体の裏面側に開口した有底凹部であることをその要旨とする。
これによってコンセントあるいはスイッチのような電気設備用端末器具がガイド体（本体）によって完全に覆われてしまうため、壁紙切断の際にこれら電気設備用端末器具を傷つけるおそれが更に少なくなるとともに、糊が器具前面に付着してしまうことがない。
第６の手段では第１〜第５のいずれかの手段に加え、前記本体の外郭を方形に形成したことをその要旨とする。
これによって切断の際に本体の外郭の直線に沿って壁紙を切断していくことができ、直線で切断できるため切断作業がしやすく、作業効率のアップに寄与する。
【０００８】
第７の手段では第１〜第６のいずれかの手段に加え、係止部材は磁石であって、強磁性体である前記取り付けベースに対して磁力によって前記本体を着脱可能に固定させるようにしたことをその要旨とする。
これによって、鉄合金等の強磁性の取り付けベースに対しては本体をその前面に配置するだけで磁力による吸着力によって本体は取り付けベースに対して仮留めされるため、作業効率が非常にアップする。
第８の手段では第１〜第６のいずれかの手段に加え、係止部材は弾性係合部材であって、前記取り付けベースに形成された被係合部に対して同弾性係合部材を係合させることで前記本体を着脱可能に固定させるようにしたことをその要旨とする。
クリップのような弾性係合部材を取り付けベースに形成された被係合部に対して弾性作用をもって係合させることでプラスチック製の取り付けベースであっても本体を仮留めさせることが可能となる。具体的には弾性係合部材を進出に伴って取り付けベースとの干渉によって撓ませ（逃がし）て付勢力を与え、更に進出させることで干渉部分を通過させて開放させた付勢力によって撓みが元に戻ることで被係合部に係合させるという作用となる。
【考案の効果】
【０００９】
上記各請求項の考案では、壁紙貼り替え用ガイド体の本体に沿って壁紙を切断すれば切断部分がカバープレートからはみ出ることはなく、また壁紙を電気設備端末器具よりも外側の位置で切断できるのでちょうどよい切断位置がキープされ、作業効率が非常に向上することとなる。
【考案を実施するための最良の形態】
【００１０】
以下、本考案における壁紙貼り替え用ガイド体を具体化した実施の形態を図面に基づいて説明する。
（実施例１）
図１及び図３に示すように、壁紙貼り替え用ガイド体（以下、単にガイド体とする）１は、外形が扁平な略直方体形状の本体２を有している。本体２の平面形状は長方形とされている。本体２の後面２ａ側中央には隅丸長方形形状の外周に形成された収容部としての凹部３が形成されている。凹部３は有底である。後面２ａの左右縁寄りは長手方向に沿って後面２ａから一段下がりに一対の段差部４が形成されている。後面２ａの上下縁寄りに中央位置に略方形の一対の凹部５が形成されている。凹部５の左右位置にはそれぞれ係止部材としての磁石６が埋設されている。本体２の表面２ｂには軽量化と成型時のいわゆる「引け」を防止するための浅い凹部７が形成されている。本体２の表面２ｂと側面２ｃとのなす角度は直角とされている。
【００１１】
次に、このような構成のガイド体１が使用される電気設備端末器具ユニットとしての一例のコンセントユニット１０について説明する。
図４及び図５に示すように、本実施例のコンセントユニット１０は壁ベース面を構成するコンパネ１１の埋め込みスペース１２位置に取り付けられている。コンセントユニット１０はコンセント１３が取り付けられた鉄合金製の取り付けベース１４とカバープレート１５及びカバーベース１６から構成されている。
図２及び図３に示すように、取り付けベース１４はプレス成形によって構成された異形長方形形状の板体であって、その中央位置にはコンセント１３の吊り下げ用及び配線確認用の長方形形状の縦型透孔１７が形成されている。また、左右縁寄りの長手方向に沿って補強フランジ１８が前方に向かって突出形成されている。その他、取り付けベース１４には補強用の凸部１９、カバーベース１６固定用の凸部２０、配線支持用のフック部２１及び軽量化のための小透孔２２ａ，２２ｂ等が散在されている。取り付けベース１４はボルト２４によってコンセント１３が埋め込みスペース１２の中央付近に配置されるように固定されている。
図４及び図５に示すように、取り付けベース１４が固定された状態でコンセント１３の本体部分は埋め込みスペース１２内（壁の中）に配置され、差込プラグが差し込まれるコンセントヘッド１３ａはコンパネ１１よりも前面側に突出されている。
【００１２】
図２に示すように、カバープレート１５は隅丸の長方形形状のプラスチック製の板体から構成されており、背面に形成された図示しない爪によってカバーベース１６に対して固定されるようになっている。カバープレート１５はその中央位置に窓孔２３が形成されており、カバープレート１５を取り付けベース１４に対して取り付けた状態でコンセントヘッド１３ａが同窓孔２３から露出されることとなる。カバープレート１５が装着された状態では取り付けベース１４は完全に覆われてしまうため前方から目視することはできない。
ここに、コンセントヘッド１３ａの外郭形状（外周方向の形状）に対して前記ガイド体１の凹部３の内周形状は略相似形状とされ、なおかつ凹部３の内周形状のほうがわずかに大きく構成されている。
図２に示すように、カバーベース１６はカバープレート１５と同じ外郭形状のプラスチック製の枠体とされ、ボルト２５によって取り付けベース１４の凸部２０に対して固定されている。カバーベース１６にはカバープレート１５側の図示しない爪に対応する位置にスリット２６が散点的に形成されている。カバープレート１５側の爪がスリット２６に挿入されることでカバープレート１５は固定される。
尚、壁紙Ｐの切断部位は少なくともこのカバープレート１５及びカバーベース１６よりも内側位置に存在しなければならない。
【００１３】
次に、このようなコンセントユニット１０を有する室内における壁紙Ｐの取り替え作業の概略を説明する。
取り付けベース１４からカバープレート１５とカバーベース１６を取り外し、古い壁紙を剥がしてコンパネ１１の表面が露出された状態において、図３に示すように、取り付けベース１４の前面側からガイド体１を立てた状態で接近させていく。この時、ガイド体１の凹部３内にコンセントヘッド１３ａがちょうどに嵌合されるように両者を対面させるようにする。そして、凹部３内にコンセントヘッド１３ａが嵌合されるとコンセントヘッド１３ａの上面に凹部３の上面（裏面）が載置されることとなるため、コンセントヘッド１３ａの上面に沿ってガイド体１をスライドさせながら接近させて行く。つまりコンセントヘッド１３ａ外周面（特に上面）を案内面としてガイド体１を進出させるようにする。するとガイド体１の取り付けベース１４への接近に伴ってガイド体１の磁石６の吸引力が強くなり、最後に磁石６は取り付けベース１４前面に吸着されるためガイド体１は取り付けベース１４に仮留めされることとなる（本実施例では磁石６は凸部１９上に接地される）。この時、ガイド体１側の段差部４には取り付けベース１４側の補強フランジ１８が対応し、ガイド体１側の凹部５には取り付けベース１４側の凸部２０が対応するため、ガイド体１側の本体２が取り付けベース１４に干渉することはない。
この仮留め状態において図４に示すように凹部３内に収容されたコンセントヘッド１３ａの前面は凹部３の底面に対して若干の隙間が形成されている（つまり、コンセントヘッド１３ａはガイド体１側に当接しない）。
【００１４】
このようにガイド体１を仮留めした状態で図４に示すように裏面が糊面とされた壁紙Ｐをガイド体１もろともコンパネ１１の表面に貼着する。すると、ガイド体１の本体２の輪郭に沿って壁紙Ｐに長方形の筋３０が浮き彫り状に現れる。そしてその筋３０（つまり本体２の角部分）に沿ってカッター２８で切断する。そして、切断部分を取り除くとともにガイド体１を取り付けベース１４前面から取り外し、カバーベース１６によって新しい壁紙Ｐの切断部位近傍を押さえながら再度固定し、最後にカバープレート１５をカバーベース１６に対して装着して作業は完了する（図５の状態）。
【００１５】
このように構成することによって本実施例１では次のような効果が奏される。
（１）壁紙Ｐを通したガイド体１の輪郭形状に沿ってカッター２８で切断すればちょうどよい切断が可能であるため、従来のようにカンや熟練のみによる作業ではないことから経験の少ない作業者であっても一定の水準の作業が可能となる。また、本体２の外縁は直線状に形成されているため切断しやすく、きれいな切断面を構成することが可能である。更に切断部位が外に見えず、なおかつ切り残しが多すぎないような最も好ましい切断部位を作業者に示すことが可能となるため、その後のカバーベース１６の固定作業やカバープレート１５の装着作業等もスムーズに行うことが可能である。
（２）ガイド体１を取り付けベース１４前面に配置するためにはコンセントヘッド１３ａを凹部４に嵌合させるだけでよいため、ガイド体１取り付けのための最適な位置を模索する必要がなく、作業の効率がアップする。
（３）ガイド体１を取り付けベース１４前面に配置することによってコンセントヘッド１３ａが露出しなくなるため、コンセントヘッド１３ａ前面に壁紙Ｐの糊が付着することを防止することができる。
（４）ガイド体１を取り付けベース１４前面に仮留めするのに、磁石６の吸引力を利用しているため単にガイド体１を取り付けベース１４前面に配置させるだけでよいため、作業効率がアップする。
【００１６】
（実施例２）
係止部材として実施例１の磁石６の代わりに、図６に示すような係止部材を使用する事も可能である。本実施例２では実施例１と共通する構成については説明を省略し、異なる構成を中心に説明する。
実施例２のガイド体１の本体２の後面２ａには磁石６の位置にそれぞれ鋼線によって構成された弾性係合部材としての鋼製のクリップ３１が植設されている。図８（ａ）〜（ｃ）に示すように、クリップ３１は内方に屈曲して形成された第１及び第２のテーパ部３２，３３を備えている。
以下、図７（ａ）〜（ｃ）及び図８（ａ）〜（ｃ）に基づいてクリップ３１によるガイド体１の取り付けベース１４前面への仮留め作用について説明する。
図７（ａ）に示すように、ガイド体１を取り付けベース１４前面に配置させる。そして、この状態からそのままガイド体１を取り付けベース１４方向に接近させる。コンセントヘッド１３を凹部４に嵌合させながらそのまま進行させるとクリップ３１は取り付けベース１４の小透孔２２ａ内に進入することとなる。すると、クリップ３１は図８（ａ）の状態から図８（ｂ）のように第１のテーパ部３２が小透孔２２ａの縁部３４に当接し、進入ともに付勢されながら外方に撓まされる（図７（ｂ）の状態）。そして、ガイド体１が更に取り付けベース１４方向に進出してクリップ３１の第１のテーパ部３２が小透孔２２ａの縁部２２ａを抜けるとクリップ３１は付勢力に基づいて原形状に復帰し、第２のテーパ部３３が小透孔２２ａの縁部２２ａに当接することとなる（図７（ｃ）及び図８（ｃ）の状態）。これによってクリップ３１は小透孔２２ａに係合されたこととなり、ガイド体１は取り付けベース１４前面への仮留めされた状態となる。
壁紙Ｐの切断作業が完了すると、ガイド体１を図７（ａ）〜（ｃ）の操作と逆に引き戻せば上記と逆の作用でクリップ３１が揺動してガイド体１を取り外すことができる。
このような構成とすれば上記実施例１の（１）〜（３）と同様の効果が奏されることとなる。また、磁石６がつかないプラスチック製の取り付けベースにも対応することが可能である。
【００１７】
その他、本発明は以下のような態様で変更して実施することも可能である。
・上記実施例のガイド体１の形状は一例であって、取り付けベース等の形状・大きさに応じて適宜変更可能である。
・上記実施例ではコンセントヘッド１３ａが収容される凹部３は有底であったが、貫通孔であっても構わない。但し、貫通していても本体２の前面がコンセントヘッド１３ａよりも前方位置にあるほうが好ましい。コンセントヘッド１３ａ前面に壁紙Ｐの糊が付着することを防止するためである。
・上記実施例ではカバープレート１５はカバーベース１６に対して装着されていたが、直接取り付けベース１４に取り付けるような構造でも構わない。また、電気設備端末器具としてスイッチ類を使用する場合にはスイッチ押動用のハンドルを介在させるようにしても構わない。
・電気設備端末器具ユニットとしておおよそ壁紙を貼着する部位に配置されるものであればガイド体１はどのような電気設備端末器具ユニットに使用しても構わない。上記実施例では電気設備端末器具ユニットとしての一例のコンセントユニット１０について説明したが、例えばスイッチ類やランプ類のような他の電気設備端末器具のユニットが想定される。
・クリップ３１はプラスチック製でも構わない。その他、係合手段は上記に限定されるものではない。
その他、本考案の趣旨を逸脱しない範囲で変更して実施することは自由である。
【図面の簡単な説明】
【００１８】
【図１】本考案の実施例１の壁紙貼り替え用ガイド体の斜視図。
【図２】実施例１及び２の壁紙貼り替え用ガイド体を使用するためのコンセントユニットの構成を説明する説明図。
【図３】取り付けベースに対して実施例１の壁紙貼り替え用ガイド体を配設する方法を説明する説明図。
【図４】実施例１の壁紙貼り替え用ガイド体を使用して壁紙を貼着した後に切断処理をする状態を説明する平断面図。
【図５】実施例１の壁紙貼り替え用ガイド体を使用して壁紙を切断した後のカバープレートを装着した状態を説明する平断面図。
【図６】実施例２の壁紙貼り替え用ガイド体の斜視図。
【図７】（ａ）〜（ｃ）は取り付けベースに対する実施例２の壁紙貼り替え用ガイド体の装着工程を説明する説明図であって、（ａ）は装着前、（ｂ）は装着途中、（ｃ）は装着後を示す。
【図８】（ａ）〜（ｃ）は取り付けベースに対して実施例２の壁紙貼り替え用ガイド体を装着する際のクリップの動作を説明する説明図であって、（ａ）は装着前、（ｂ）は装着途中、（ｃ）は装着後を示す。
【図９】従来の壁紙張り替えの際のコンセントユニット付近の状態を説明する説明図。
【図１０】従来の壁紙張り替えの際のコンセントユニットでの処理を説明する説明図。
【符号の説明】
【００１９】
１…壁紙貼り替え用ガイド体、２…本体、３…収容部としての凹部、６…係止部材としての磁石、１０…コンセントユニット、１２…埋め込みスペース、１３…コンセント、１４…取り付けベース、２２…被係合部としての小透孔、３１…弾性係合部材としてのクリップ。
【図１】
0003127972.tif 000003
【図２】
0003127972.tif 000004
【図３】
0003127972.tif 000005
【図４】
0003127972.tif 000006
【図５】
0003127972.tif 000007
【図６】
0003127972.tif 000008
【図７】
0003127972.tif 000009
【図８】
0003127972.tif 000010
【図９】
0003127972.tif 000011
【図１０】
0003127972.tif 000012